(57)【特許請求の範囲】
【請求項１】
水平方向に延びる胴部及び該胴部の両端から下方に延びる脚部を有する略Ｃ字状の平板状継鉄と、前記胴部に取り付けられる巻胴部を有し、該巻胴部の周囲に励磁コイルを巻回した絶縁性の巻枠と、前記水平方向に延びると共に絶縁性の作動片が設けられた水平部、該水平部の一端側から前記脚部のうち一方の脚部の延出方向に延びる回動軸部、及び前記水平部の他端側から延び前記励磁コイルが励磁されたときに前記脚部のうち他方の脚部に接触する垂直部を有するアーマチュアと、前記継鉄の両脚部を支持すると共に前記アーマチュアの回動軸部の下端に形成された軸片を受容する凹部又は穴を有する絶縁性のベースハウジングと、該ベースハウジングに取り付けられ、前記作動片の押圧により互いに接触する可動接触片及び固定接触片とを具備し、前記巻枠は、前記巻胴部から前記一方の脚部側に延びるとともに少なくとも前記一方の脚部の上方に位置する上方部を有する延出部を備え、前記アーマチュアは、前記回動軸部の上端に上方に突出する突起を有する電磁継電器において、
前記ベースハウジングは、前記一方の脚部の近傍に上方向に延びる突部を有し、
前記巻枠の上方部に前記胴部の延出方向と平行に延びる凹部を形成し、
前記アーマチュアの突起は、前記巻枠の凹部と前記ベースハウジングの突部とにより区画された空間内に配置されることを特徴とする電磁継電器。
【発明の詳細な説明】
【０００１】
【発明の属する技術分野】
本発明は、電磁継電器に関し、特に回路基板上に搭載して用いられる小型の電磁継電器に関する。
【０００２】
【従来の技術】
従来のこの種の電磁継電器として、例えば、図５に示すものが知られている（特公平４−４２７６６号公報参照）。
この電磁継電器は、絶縁性のベースハウジング１１０と、接触片１２０と、操作電磁石１３０と、ケース１４０とから構成されている。
【０００３】
ベースハウジング１１０は、長手方向に延びる略矩形体の両端上に、壁部材１１５，１１６を突設して形成され、各壁部材１１５，１１６の前側（図１における手前側）には、後述する門形鉄心１３１の１対の差込部１３１ａ（一方の差込部１３１ａのみ図示）が圧入される差込孔１１１，１１２を形成している。そして、壁部材１１５側の差込孔１１１の角部に近接して、後述するアーマチュア１３３の脚片部１３３ｄを受容するための円形の受穴１１３が設けられている。また、壁部材１１６側の差込孔１１２の角部に近接して、アーマチュア１３３の突片部１３３ｆを受容するとともにアーマチュア１３３の回動範囲を規制するための受溝１１４が設けられている。なお、壁部材１１６には、後述するコイル端子１３５の挿通を許容する１対の貫通孔１１７が形成されている。
【０００４】
接触片１２０は、一対の固定接触片１２１及び可動接触片１２３で構成され、固定接触片１２１及び可動接触片１２３のそれぞれは、対向面にそれぞれ固定接点１２２及び可動接点１２４を有するとともに、回路基板（図示せず）に接続される基板接続部（図示せず）を有する。固定接触片１２１及び可動接触片１２３のそれぞれは、りん青銅等の銅合金板を打ち抜き及び曲げ加工することにより形成され、ベースハウジング１１０の壁部材１１５に固着されるようになっている。
【０００５】
操作電磁石１３０は、門形鉄心１３１と、この門形鉄心１３１に圧入固定される巻枠１３２と、アーマチュア１３３と、励磁コイル１３４とを備えている。
門形鉄心１３１は、水平方向に延びる胴部（図示せず）と、胴部の両端から下方に延びる一対の脚部１３１ｂ（一方の脚部１３１ｂのみを図示）とを有する門形平板状に形成され、鉄心を打ち抜き加工することにより形成される。門形鉄心１３１の両脚部１３１ｂの下端には、差込孔１１１，１１２に圧入される差込部１３１ａが突出形成されている。また、門形鉄心１３１の一端側の上方部には、突起１３１ｃが形成されている。
【０００６】
また、巻枠１３２は、水平方向に延び上方に開いたＵ溝を有する断面Ｕ字状の巻胴部（図示せず）と、巻胴部の両端に設けられたつば部１３２ａと、一方のつば部１３２ａに続けて片側に寄せて設けられた端子部１３２ｂとを備えている。巻枠１３２は、絶縁性樹脂を成形することによって形成される。巻枠１３２の巻胴部のＵ溝に門形鉄心１３１の胴部が圧入され、両者は一体化される。そして、端子部１３２ｂには、２本のコイル端子１３５が固着されている。巻枠１３２の巻胴部の周囲には、励磁コイル１３４が巻回され、励磁コイル１３４の両端はそれぞれのコイル端子１３５に接続されるようになっている。
【０００７】
アーマチュア１３３は、鉄板を打ち抜き加工することにより逆門形の形状に構成され、水平方向に延びる水平部１３３ａと、水平部１３３ａの両端から上方に延びる一対の垂直部１３３ｂ、１３３ｃとを具備している。アーマチュア１３３の一端側の垂直部１３３ｂの下端には、アーマチュア１３３の支持部となる脚片部１３３ｄが突出形成されている。また、アーマチュア１３３の他端側の垂直部１３３ｃの下端には、アーマチュア１３３の回動範囲を規制するための突片部１３３ｆが突出形成されている。さらに、アーマチュア１３３の一端側の垂直部１３３ｂの上端であって脚片部１３３ａの軸線上には、門形鉄心１３１の突起１３１ｃに嵌め合わされる凹部１３３ｅが形成されている。アーマチュア１３３の水平部１３３ａには、絶縁性の作動片１３３ｇが装着される。
【０００８】
以上の構成を有する操作電磁石１３０は、ベースハウジング１１０上に組み付けられるが、この際に、門形鉄心１３１の両差込部１３１ａを差込孔１１１，１１２に圧入するとともに、アーマチュア１３３の脚片部１３３ｄをベースハウジング１１０の受穴１１３に、突片部１３３ｆを受溝１１４にそれぞれ挿入する。またこのとき同時に、コイル端子１３５をベースハウジング１１０の貫通孔１１７に挿通させる。すると、アーマチュア１３３は、脚片部１３３ａが受穴１１３に、その軸線上の凹部１３３ｅが突起１３１ｃに支持されることから、脚片部１３３ａとその軸線上の凹部１３３ｅを中心に回動可能になる。アーマチュア１３３は、復帰ばねを兼ねる可動接触片１２３から作動片１３３ｇを介してばね力を受け、励磁コイル１３４の非励磁状態では、アーマチュア１３３の他端側垂直部１３３ｃが門形鉄心１３１から離反するようになっている。一方、励磁コイル１３４の励磁時には、アーマチュア１３３の他端側垂直部１３３ｃは、脚片部１３３ａとその軸線上の凹部１３３ｅを中心に回転し、門形鉄心１３１に吸着される。これにより、可動接触片１２３が押圧されて弾性変形し、接点１２２，１２４間が閉じることになる。
【０００９】
ケース１４０は、ベースハウジング１１０及びこのベースハウジング１１０上に組みつけられた操作電磁石１３０を覆う収容空間（図示せず）が内部に形成された略矩形状部材である。ケース１４０は、ベースハウジング１１０及び操作電磁石１３０を覆い、ベースハウジング１１０に係止される。ケース１４０の収容空間には、ベースハウジング１１０及び操作電磁石１３０を覆った際に、門形鉄心１３１の突起１３１ｃ側の上端を押さえつける突起（図示せず）と、アーマチュア１３３の回転支点側（一端側）の垂直部１３３ｂの上端の倒れを防止する突起（図示せず）とが設けられている。
【００１０】
以上の構成を有する電磁継電器によれば、超小型の電磁継電器を高い生産性で安価に供給することが可能になる。
また、従来の電磁継電器の他の例として、例えば、図６に示すものも知られている（特開２００１−６８００３号公報参照）。
この電磁継電器は、基本構造が図５に示すものと同様で、ベースハウジング２１０に固定された門形鉄心２１１に沿うようにアーマチュア２１２が配置されている。そして、アーマチュア２１２は、鉄板を打ち抜き加工することにより逆門形の形状に構成され、一端側の下端に回動中心となる軸片部２１３が、他端側の下端にアーマチュア２１２の突片部２１４が設けられている。アーマチュア２１２の軸片部２１３はベースハウジング２１０に形成された軸受穴２１５に挿入され、突片部２１４はベースハウジング２１０に形成された受穴２１６に移動自在に挿入される。また、アーマチュア２１２の回動中心側となる一端側の上端であって軸片部２１３の軸線上には、図５に示す凹部１３３ｅと同様の凹部（図示せず）が形成されている。この凹部は、図５に示す凹部１３３ｅと同様に、門形鉄心２１１の一端側上方部に設けられた突起（図示せず）に嵌合し、軸片部２１３とともにアーマチュア２１２の回動中心となる。そして、ベースハウジング２１０のＬ字形絶縁壁２１７の隅に厚肉部２１８を形成し、アーマチュア２１２の他端部の角を厚肉部２１８に当接させて、アーマチュア２１２の開閉ストロークＳを規制するようにしている。なお、図６中、符号２１９は固定接触片、２２０は可動接触片である。
【００１１】
この電磁継電器によれば、限界設計の中でアーマチュア２１２の開閉ストロークＳを安定させ、開閉操作力や負荷力の一定した動作信頼性の高い電磁継電器を得ることができる。
【００１２】
【発明が解決しようとする課題】
しかしながら、これら従来の電磁継電器にあっては、以下の問題点があった。即ち、図５に示す電磁継電器の場合、アーマチュア１３３は、脚片部１３３ｄが受穴１１３に、その軸線上の凹部１３３ｅが突起１３１に支持されて、脚片部１３３ｄとその軸線上の凹部１３３ｅを中心に回動可能になる。ここで、受穴１１３による脚片部１３３ｄの支持は、アーマチュア１３３の水平方向（図における左右方向）及び水平方向に直交する前後方向において脚片部１３３ｄの移動を規制可能となっていることから、支持が不安定になることはない。一方、突起１３１ｃによる凹部１３３ｅの支持は、アーマチュア１３３の水平方向においては、凹部１３３ｅの移動を規制可能となっていることから問題はないが、前記水平方向と直交する前後方向においては、凹部１３３ｅの移動を規制できないため、その支持が不安定となっている。凹部１３３ｅの前後方向の支持を安定にするため、ケース１４０収容空間には、アーマチュア１３３の回転支点側の垂直部１３３ｂの上端の倒れを防止する突起が設けられている。しかし、ケース１４０は操作電磁石１３０及びベースハウジング１１０を覆う大きな形状を有するため、その成形時における製品の寸法誤差が大きく、ベースハウジング１１０の収容空間に形成された前記突起の寸法誤差も必然と大きくなっている。このため、前記凹部１３３ｅの前後方向の支持が突起やベースハウジング１１０の寸法誤差に起因して必然的に不安定なものとなっていた。従って、アーマチュア１３３の回動軸が安定せず、アーマチュア１３３の動きがスムーズにならないおそれがあった。
【００１３】
また、図６に示す電磁継電器の場合も同様に、アーマチュア２１２の回動中心となる凹部の前後方向の支持が、不安定であるため、アーマチュア２１２の回動軸が安定せず、アーマチュア２１２の動きがスムーズにならないおそれがあった。
従って、本発明は上述の問題点に鑑みてなされたものであり、その目的は、アーマチュアの回動が、ケースやベースハウジングの寸法誤差や変形の影響を受け難く、アーマチュアがスムーズに回動できる電磁継電器を提供することにある。
【００１４】
【課題を解決するための手段】
上記問題を解決するため、本発明に係る電磁継電器は、水平方向に延びる胴部及び該胴部の両端から下方に延びる脚部を有する略Ｃ字状の平板状継鉄と、前記胴部に取り付けられる巻胴部を有し、該巻胴部の周囲に励磁コイルを巻回した絶縁性の巻枠と、前記水平方向に延びると共に絶縁性の作動片が設けられた水平部、該水平部の一端側から前記脚部のうち一方の脚部の延出方向に延びる回動軸部、及び前記水平部の他端側から延び前記励磁コイルが励磁されたときに前記脚部のうち他方の脚部に接触する垂直部を有するアーマチュアと、前記継鉄の両脚部を支持すると共に前記アーマチュアの回動軸部の下端に形成された軸片を受容する凹部又は穴を有する絶縁性のベースハウジングと、該ベースハウジングに取り付けられ、前記作動片の押圧により互いに接触する可動接触片及び固定接触片とを具備し、前記巻枠は、前記巻胴部から前記一方の脚部側に延びるとともに少なくとも前記一方の脚部の上方に位置する上方部を有する延出部を備え、前記アーマチュアは、前記回動軸部の上端に上方に突出する突起を有する電磁継電器において、前記ベースハウジングは、前記一方の脚部の近傍に上方向に延びる突部を有し、前記巻枠の上方部に前記胴部の延出方向と平行に延びる凹部を形成し、前記アーマチュアの突起は、前記巻枠の凹部と前記ベースハウジングの突部とにより区画された空間内に配置されることを特徴としている。
【００１５】
なお、「略Ｃ字状」とは、角を有しているものを含むものとする。
【００１６】
【発明の実施の形態】
次に本発明の実施形態を図面を参照して説明する。図１は、本発明に係る電磁継電器において操作電磁石及びベースハウジングの組立体とケースとを分解した状態の正面側斜め上方から見た斜視図である。図２は、本発明に係る電磁継電器の各構成部品の正面側斜め上方から見た分解斜視図である。図３は、本発明に係る電磁継電器において操作電磁石及びベースハウジングの組立体とケースとを分解した状態の背面側斜め上方から見た斜視図である。図４は、本発明に係る電磁継電器の各構成部品の背面側斜め上方から見た分解斜視図である。
【００１７】
図１乃至図４に示す電磁継電器１は、可動接触片２１及び固定接触片２２を固着した絶縁性のベースハウジング１０と、ベースハウジング１０に組み付けられる操作電磁石３０と、ケース７０とから構成されている。
このうち、操作電磁石３０は、平板状継鉄４０と、巻枠５０と、アーマチュア６０とを備えている。
【００１８】
操作電磁石３０の平板状継鉄４０は、水平方向に延びる矩形状胴部４１と、この胴部４１の両端から下方に延びる１対の矩形状脚部４２，４３を有する略Ｃ字状に形成され、鉄板を打ち抜くことによって形成される。１対の脚部４２，４３のうち一方の脚部４２（図２における右側の脚部）の上端右側縁には、右方向に突出する突出部４２ａが形成されている。
【００１９】
また、巻枠５０は、平板状継鉄４０の胴部４１の上下縁及び背面（図２における後側）を覆うように前記胴部４１に取り付けられる巻胴部５１と、この巻胴部５１の右端から一方の脚部４２の背面側に延びる延出部５２と、巻胴部５１の左端から他方の脚部４３の背面側に延びる端子部５３とを備えている。巻枠５０は、絶縁性樹脂を成形することによって形成される。巻胴部５１の周囲には、励磁コイル５６が巻回され、励磁コイル５６の両端は、端子部５３の背面に固着された一対のコイル端子５７のそれぞれに接続されるようになっている。巻胴部５１の左右端部には、鍔部５４，５５がそれぞれ形成され、これら鍔部５４，５５により励磁コイル５６の左右方向の位置ずれを防止するようにしている。また、延出部５２は、脚部４２の背面側に位置する背面部５２ａと、背面部５２ａの上端から一方の脚部４２の上方に位置するように延びる上方部５２ｂを有している。上方部５２ｂには、平板状継鉄４０の胴部４１の延出方向と平行に延びる凹部５２ｃが形成されている。この凹部５２ｃは、上方部５２ｂの右端側に開いている。また、延出部５２の背面部５２ａには、下方に開く延出部側案内凹部５２ｄが形成され、端子部５３の背面には、下方に開く端子部側案内凹部５３ａが形成されている。
【００２０】
さらに、アーマチュア６０は、水平方向に延びる水平部６１、水平部６１の右端側から一方の脚部４２の延出方向に延びる回動軸部６２、及び水平部６１の左端側から他方の脚部６３の延出方向に延びる垂直部６３を有する略Ｃ字形の平板状に形成され、鉄板を打ち抜くことによって形成される。水平部６１には、水平部６１の周囲を開口部６６を除いて覆う絶縁性の作動片６４が取り付けられている。作動片６４の背面には、可動接触片２１の弾性ばね片２１ｃを押圧して固定接触片２２に接触させるための突起部６５が突出形成されている。また、回動軸部６２の下端には、後述するベースハウジング１０に形成された凹部１８ｂに受容される矩形状軸片６２ａが突出形成され、回動軸部６２の上端であって矩形状軸片６２ａの軸線上には、巻枠５０に形成された凹部５２ｃと後述するベースハウジング１０の突部２０とにより区画された空間内に配置される矩形状突起６２ｂが上方向に突出形成されている。アーマチュア６０は、矩形状軸片６２ａが凹部１８ｂに、その軸線上の矩形状突起６２ｂが巻枠５０に形成された凹部５２ｃとベースハウジング１０の突部２０とにより区画された空間内に支持されることから、矩形状軸片６２ａと矩形状突起６２ｂを中心に回動可能になる。アーマチュア６０は、復帰ばねを兼ねる可動接触片２１の弾性ばね片２１ｃから作動片６４を介してばね力を受け、励磁コイル５６の非励磁状態では、アーマチュア６０の他端側垂直部６３が平板状継鉄４０の他方の脚部４３から離反するようになっている。一方、励磁コイル５６の励磁時には、アーマチュア６０の他端側垂直部６３は、矩形状軸片６２ａと矩形状突起６２ｂを中心に回転して脚部４３に接触するようになっている。
【００２１】
次に、ベースハウジング１０は、図２及び図４に最も良く示すように、長手方向に延びる略矩形板部１１と、この略矩形板部１１の後縁（図２における後側の縁）から立ち上がる後壁１２と、略矩形板部１１の右端縁（図２における右側端部の縁）から立ち上がる端壁１３とを備え、絶縁性樹脂を成形することによって形成されている。そして、ベースハウジング１０の後壁１２の下側略半分から前方に向けて端壁１３の部分において開くように接触片収容空間１４が形成されている。この接触片収容空間１４は、可動接触片２１及び固定接触片２２を収容する空間であって、後壁１２から前方に延びる前方延出壁１４ａと、前方延出壁１４ａの前端縁、略矩形板部１１、及び端壁１３を連結する前壁１４ｂと、前方延出壁１４ａの左端縁、前壁１４ｂの左端縁、略矩形板部１１、及び後壁１２を連結する側壁１４ｃとによって区画されている。前方延出壁１４ａは、前壁１４ｂよりも前方に突出し、励磁コイル５６とアーマチュア６０の水平部６１間を延びる絶縁壁１４ｇを有する。前壁１４ｂの略中央部には、作動片６４の突起部６５が移動可能な矩形孔１５が形成されている。また、後壁１２の右端側の前面であって前方延出壁１４ａの上方には、平板状継鉄４０及び巻枠５０の組立体をベースハウジング１０に組み付ける際に、巻枠５０の延出部側案内凹部５２ｄが案内されるレール１６ａが、後壁１２の左端側の前面には、巻枠５０の端子部側案内凹部５３ａが案内されるレール１６ｂが突出形成されている。また、略矩形板部１１の左端側のレール１６ｂの両側には、コイル端子５７が挿通される１対の貫通孔１７（一方のみ図示）が形成されている。さらに、略矩形板部１１の右端側前縁近傍には、端壁１３から略矩形板部１１の前方を塞ぐように延びるＬ字形の隆起部１８ａが突出形成されている。このＬ字形隆起部１８ａによって囲まれる部分が、アーマチュア６０の一端側にある矩形状軸片６２ａを受容する凹部１８ｂを画定する。また、略矩形板部１１の左端側前縁近傍には、支持部１９ａが突出形成されている。支持部１９ａは、Ｌ字形隆起部１８ａと共に平板状継鉄４０の脚部４３，４２を位置決め及び支持する。支持部１９ａに隣接する突条１９ｂは、作動片６４の下端の突起６７と当接し、アーマチュア６０の回動範囲を決定する。また、ベースハウジング１０の端壁１３の上端には、取り付けられる平板状継鉄４０の突出部４２ａを受容する凹部１６ｃが形成されるとともに、その凹部１６ｃの前側には、平板状継鉄４０の一方の脚部４２の近傍に上方向に延びる突部２０が突出形成されている。突部２０は、平板状継鉄４０及び巻枠５０の組立体をベースハウジング１０に組み付けると、図１及び図３に示すように、巻枠５０の凹部５２ｃ内の前側に位置し、凹部５２ｃと突部２０とにより矩形状突起６２ｂを配置可能な空間を形成する。
【００２２】
可動接触片２１は、図２及び図４に最もよく示すように、接触片収容空間１４の下方に位置する略矩形板部１１において端壁１３側から左方向（図4 における右方向）に延出するように形成された圧入溝１４ｄに圧入される基部２１ａを備え、リン青銅等の銅合金板を打ち抜き及び曲げ加工することによって形成される。基部２１ａの上端には、接触片収容空間１４の上方に位置する後壁１２において端壁１３側から左方向に延出するように形成された別の圧入溝１４ｅに圧入される固定片２１ｂが折り曲げ形成され、基部２１ａの下端には、回路基板（図示せず）に接続される基板接続部２１ｅが下方に向けて突出形成されている。さらに、基部２１ａの左端縁には、先端後面に可動接点２１ｄを有する弾性ばね片２１ｃが左方向に向けて延出している。この弾性ばね片２１ｃは、基部２１ａの左端縁から斜め前方に延びてから折り曲げられ接触片収容空間１４の前壁１４ｂに近接して沿うように延びる。一方、固定接触片２２は、基部２２ａを有し、リン青銅等の銅合金板を打ち抜き及び曲げ加工することによって形成される。基部２２ａの下端には、接触片収容空間１４の左右方向略中央部の下方に位置する圧入溝１４ｆに圧入される固定片２２ｂが折り曲げ形成されている。また、基部２２ａの下端には、さらに回路基板に接続される基板接続部２２ｅが下方に向けて突出形成されている。そして、基部２２ａの左端縁には、前記可動接点２１ｄの対向面に固定接点２２ｄを有する平板部２２ｃが左方向に向けて延出している。この平板部２２ｃは、固定接触片２２がベースハウジング１１に固着された際（励磁コイル５６の非励磁状態）には、可動接触片２１の弾性ばね片２１ｃと所定間隔を置いた位置に位置し、固定接点２２ｄと可動接点２１ｄとが互いに離反する位置に位置している。そして、励磁コイル５６が励磁されてアーマチュア６０の他端側垂直部６３が平板状継鉄４０の他方側の脚部４３に接触すると、作動片６４の背面にある突起部６５が可動接触片２１の弾性ばね片２１ｃを押圧して弾性ばね片２１ｃが弾性変形し、可動接点２１ｄが固定接点２２ｄに接触するようになっている。
【００２３】
次に、ケース７０は、ベースハウジング１０及びベースハウジング１０上に組みつけられた操作電磁石１３０を覆う収容空間（図示せず）が内部に形成された略矩形状部材である。ケース７０は、絶縁性樹脂を成形することによって形成される。
以上のような構成を有する電磁継電器１を組み立てるには、先ず、可動接触片２１及び固定接触片２２を固着したベースハウジング１０上に、アーマチュア６０を組み付ける。この組み付けに際しては、アーマチュア６０に取り付けられた作動片６４をベースハウジング１０の絶縁壁１４ｇと略矩形板部１１との間に挿入しつつ一端側の矩形状軸片６２ａを凹部１８ｂに挿入する。アーマチュア６０を組み付けた後、平板状継鉄４０及び巻枠５０の組立体をベースハウジング１０上に組み付ける。この組み付けに際しては、巻枠５０の延出部側案内凹部５２ｄをベースハウジング１０のレール１６ａに、端子部側案内凹部５３ａをレール１６ｂにそれぞれ案内し、コイル端子５７を略矩形板部１１の１対の貫通孔１７に挿入し、平板状継鉄４０の突出部４２ａをベースハウジング１０の凹部１６ｃに挿入する。すると、ベースハウジング１０の突部２０が、図１及び図３に示すように、巻枠５０の凹部５２ｃ内の前側に位置して凹部５２ｃと突部２０とによりアーマチュア６０の矩形状突起６２ｂを配置可能な空間を形成するとともに、前記矩形状突起６２ｂが前記空間内に配置される。これにより、アーマチュア６０は、矩形状軸片６２ａが凹部１８ｂに、その軸線上の矩形状突起６２ｂが巻枠５０に形成された凹部５２ｃとベースハウジング１０の突部２０とにより区画された空間内に支持されることから、矩形状軸片６２ａと矩形状突起６２ｂを中心に回動可能になる。この状態では、アーマチュア６０は、復帰ばねを兼ねる可動接触片２１の弾性ばね片２１ｃから作動片６４を介してばね力を受け、励磁コイル５６が非励磁状態であることからアーマチュア６０の他端側垂直部６３が平板状継鉄４０の他方の脚部４３から離反している。平板状継鉄４０及び巻枠５０の組立体をベースハウジング１０上に組み付けた後、ケース７０をそれらの上方から被せる。これにより、電磁継電器１は完成する。
【００２４】
電磁継電器１が完成した状態においては、アーマチュア６０は、矩形状軸片６２ａが凹部１８ｂに、その軸線上の矩形状突起６２ｂが巻枠５０に形成された凹部５２ｃとベースハウジング１０の突部２０とにより区画された空間内に支持されることから、アーマチュア６０の水平方向及び水平方向に直交する前後方向において矩形状軸片６２ａ及び矩形状突起６２ｂの移動を規制可能となっている。このため、アーマチュア６０の回動軸が安定し、アーマチュア６０の回動がベースハウジング１０やケース７０の寸法誤差や変形の影響を受けることなく、アーマチュア６０をスムーズに回動することができる。
【００２５】
以上、本発明の実施形態について説明してきたが、本発明はこれに限定されず、種々の変更を行うことができる。
例えば、ベースハウジング１０には、アーマチュア６０の矩形状軸片６２ａを受容する凹部１８ｂが形成されているが、この矩形状軸片６２ａを受容するのは必ずしも凹部である必要はなく、穴であってもよい。
【００２６】
【発明の効果】
以上説明したように、本発明に係る電磁継電器によれば、ベースハウジングが、略Ｃ字形平板状継鉄の一方の脚部の近傍に上方向に延びる突部を有し、巻枠の上方部に継鉄の胴部の延出方向と平行に延びる凹部を形成し、アーマチュアの突起が、前記巻枠の凹部と前記ベースハウジングの突部とにより区画された空間内に配置されるので、アーマチュアの水平方向及び水平方向に直交する前後方向においてアーマチュアの軸片ばかりでなくアーマチュアの前記突起の移動を規制できる。このため、アーマチュアの回動軸が安定し、アーマチュアの回動がベースハウジングやケースの寸法誤差や変形の影響を受けることなく、アーマチュアをスムーズに回動することができる。
【図面の簡単な説明】
【図１】本発明に係る電磁継電器において操作電磁石及びベースハウジングの組立体とケースとを分解した状態の正面側斜め上方から見た斜視図である。
【図２】本発明に係る電磁継電器の各構成部品の正面側斜め上方から見た分解斜視図である。
【図３】本発明に係る電磁継電器において操作電磁石及びベースハウジングの組立体とケースとを分解した状態の背面側斜め上方から見た斜視図である。
【図４】本発明に係る電磁継電器の各構成部品の背面側斜め上方から見た分解斜視図である。
【図５】従来例の電磁継電器の分解斜視図である。
【図６】従来の他の例の電磁継電器の断面図である。
【符号の説明】
１  電磁継電器
１０  ベースハウジング
１８ｂ  ベースハウジングの凹部
２０  突部
２１  可動接触片
２２  固定接触片
４０  平板状継鉄
４１  胴部
４２  一方の脚部
４３  他方の脚部
５０  巻枠
５１  巻胴部
５２  延出部
５２ｂ  上方部
５２ｃ  巻枠の凹部
５６  励磁コイル
６０  アーマチュア
６１  水平部
６２  回動軸部
６２ａ  矩形状軸片（軸片）
６２ｂ  矩形状突起（突起）
６３  垂直部
６４  作動片
【図１】
0003934376.tif 000002
【図２】
0003934376.tif 000003
【図３】
0003934376.tif 000004
【図４】
0003934376.tif 000005
【図５】
0003934376.tif 000006
【図６】
0003934376.tif 000007